【事件の表示】
　特許第３１２６８１２号「スロットマシン」の請求項１に係る特許に対する特許異議の申立てについて、次のとおり決定する。
【結　論】
　訂正を認める。
　特許第３１２６８１２号の請求項１に係る特許を取り消す。
【理　由】
１．手続の経緯
　特許第３１２６８１２号の請求項１に係る発明についての出願は、平成４年７月１０日に出願され、平成１２年１１月２日にその発明について特許の設定登録がなされ、その後、その特許について、異議申立人荒川浩二により特許異議の申立てがなされ、取消理由通知がなされ、その指定期間内である平成１３年１２月１０日に訂正請求がなされたものである。
　
２．訂正の適否についての判断
ア．訂正の内容
ａ．特許請求の範囲の請求項１の、
「扉体（６）に形成した開口部（２６）に対して一体的に装脱可能な装着ユニット（２５）に構成するとともに、」（特許公報１欄１１行〜１３行）を、
「扉体（６）に形成した開口部（２６）に対して扉体（６）の前面側から一体的に装脱可能な装着ユニット（２５）に構成するとともに、」と訂正する。
ｂ．明細書の段落【０００４】の、
「扉体に形成した開口部に対して一体的に装脱可能な装着ユニットに構成するとともに、」（特許公報３欄２１行〜２２行）を、
「扉体に形成した開口部に対して扉体の前面側から一体的に装脱可能な装着ユニットに構成するとともに、」と訂正する。
　
イ．訂正の目的の適否、新規事項の有無、及び拡張・変更の存否
　上記訂正事項ａは、明細書段落【０００８】の「前記装着ユニット２５は、その矩形枠体２４部分を扉体６の前面側から、当該扉体６に形成した矩形枠体２４の正面視外郭寸法よりも若干大きい矩形開口部２６に挿入して、」（特許公報４欄４８行〜５欄１行）の記載に基づいて、扉体（６）に形成した開口部（２６）に対する装着ユニット（２５）の装脱方向を、扉体（６）の前面側から一体的に装脱可能と限定するものであるから、特許請求の範囲の減縮を目的とする明細書の訂正に該当する。
　上記訂正事項ｂは、上記訂正事項ａにともなって、特許請求の範囲の記載と発明の詳細な説明の記載とを整合させるものであるから、明りょうでない記載の釈明を目的とした明細書の訂正に該当する。
　そして、上記訂正は願書に添付した明細書または図面に記載された事項の範囲を越えるものとは認められないから、新規事項の追加に該当せず、また特許請求の範囲を実質的に拡張または変更するものではない。
　
ウ．むすび
　以上のとおりであるから、上記訂正は、特許法第１２０条の４第３項において準用する平成６年法律第１１６号による改正前の特許法第１２６条第１項ただし書、第２項および第３項の規定に適合するので、当該訂正を認める。
　
３．特許異議の申立てについて
ア．申立の理由の概要
　申立人は、請求項１に係る発明は、甲第１ないし７号証に記載された発明に基づいて当業者が容易に発明をすることができたものであるから、請求項１に係る発明の特許は、特許法第２９条第２項の規定に違反してされたものであり、また、本願の平成１２年８月２８日付けの手続き補正書による補正は、発明の要旨を変更するものであり、本願の出願日は、平成１２年８月２８日となるから、請求項１に係る発明は、本願の公開公報である特開平４ー１８３５２３号公報に記載の発明であり、請求項１に係る発明の特許は、特許法第２９条第１項第３号の規定に違反してされたものであるから取り消されるべき旨主張している。
　
イ．本件発明
　上記２．で示したように上記訂正が認められるから、本件の請求項１に係る発明（以下、本件発明という。）は、上記訂正に係る訂正請求書の特許請求の範囲の請求項１に記載された次の事項により特定されるとおりのものである。
「【請求項１】枠体（５）に対して揺動開閉自在な扉体（６）に、複数の図柄移動装置（１１）を各別に駆動させる図柄回動ユニット（１２）、図柄回動ユニット（１２）の制御部（１３）、図柄回動ユニット（１２）を操作して遊技を行なうための操作部（１７）、遊技結果に基づいて決定された図柄の組み合わせを表示窓（１５）から表示する図柄表示パネル（１６）、メダル受け皿（１９）を設けてあるスロットマシンにおいて、
　前記図柄回動ユニット（１２）と制御部（１３）及び図柄表示パネル（１６）とを、扉体（６）に形成した開口部（２６）に対して扉体（６）の前面側から一体的に装脱可能な装着ユニット（２５）に構成するとともに、前記図柄表示パネル（１６）の周縁部（２７）で開口部（２６）の前面側周縁を全周に亘って覆うように構成してあるスロットマシン。」
　
ウ．引用刊行物記載の発明
　当審が取消しの理由に引用した刊行物１（特開平１ー１０４２８４号公報、甲第１号証）には、
「遊戯機内に複数の回転ドラムから成るスロットマシン形式のゲーム装置を備え、遊戯機正面を覆う表構成部材には、ゲームに賭ける球数のパチンコ機を機内に取込むためのスイッチとしての一群の押ボタンから成る取込操作手段と、ゲーム装置を始動させるスタート操作手段と、ゲーム装置の個々の回転ドラムを停止させるためのドラム毎に対応して設けられたスイッチとしての一群の押ボタンとから成るストップ操作手段と、ゲーム装置を可視させるために開設された遊戯表示開口部とを備え、ゲーム結果の重みに応じて所定数のパチンコ球を支払うことを特徴とする遊技球の操作手段」（特許請求の範囲）、
「第１図及び第２図に於て、１は中空箱状の収納枠であり、４枚の板材を縦長の矩形に囲った構成である。３は収納枠１内の棚板２上に着脱容易な形式で設置したゲーム装置であり、３個の回転ドラム４から成る。５は収納体１の開口端面の下部に固定した前面補強板、６は該前面補強板５の前面に固定した下台である。下台６には、供給皿１８の下方に球箱５０を収納配置するための収納空間が凹部６２により形成されている。７は主構成枠であり、収納枠１の開口端面のうち前面補強板５よりも上方の領域を覆うように配置され且つ収納枠１に対し開閉可能に装着されている。８は、主構成枠７の前面に固定した第１表構成部材としての上部カバー、９は同じく主構成枠７の前面に固定した第２表構成部材としての正面カバーであり、それぞれ主構成枠７側に未形成空間８Ａ、９Ａが残るように膨出して形成されている。・・・第２表構成部材たる正面カバー９は、遊戯者から見て正面となる位置に、遊戯及び結果態様を表示するゲーム表示部１２を有する。ゲーム表示部１２の下方には、遊戯に関するスタート、ストップ、取込み操作等をなすための各種操作手段からなる操作機能部１５を有する。その下方には下側の蛍光灯照明装置１７により照明し第２のゲーム表示部として機能させ得る下部表示部１５を有し、更にその下方には、機械内部にパチンコ球を整列状態で供給するための供給皿１８を収納凹所１９ないに有する。第３図及び第４図に於て、表構成部材（８、９）全体の中程に位置するゲーム表示部１２は、正面カバー９に長方形に開放したゲーム表示開口部１２Ａに、ゲーム表示パネル６９を収納し、その背後に装着した補助構成部材１３の上枠に設けた蛍光灯照明装置（上側の蛍光灯照明装置）１４等により、前方及び下方照明される。正面カバー９の正面のうち、ゲーム表示部１２に対応する部分は、斜めにカットされており、ゲーム表示開口部１２Ａは、正面カバー９の正面より奥まった所に位置している。従って、正面カバー自体は、ゲーム表示パネル６９の周囲を取囲む、上下左右の鎧部９Ｂ及び下辺斜めに鎧部９Ｃを有する。このゲーム表示パネル６９は、第４図に示すように、可視部材としてのクリアープレイト６９Ａとゲーム表示プレイト６９Ｂを重ね合せて構成したものであり、その表示を遊戯者が容易に視認し得るようにするため、第２図に示すように、ゲーム表示パネル６９は主構成枠７の面に対して傾けてある。・・・各ドラム４の外周面には、周方向に多数の符号（所定に図形、記号、数字等）が連続的に付してあり、静止した状態下では、これらの符号のうち各回転ドラム４毎に上段、中段、下段の３個、従って計９個が同時に正面の可視窓７０から表示される。」（２頁左下欄１１行〜３頁左下欄２行）、と記載されている。
　上記記載からみれば、甲第１号証には、「収納枠１に対して揺動開閉自在な、上部カバー８および正面カバー９を固定した主構成枠７と、周方向に連続的に符号を付した複数の回転ドラム４を各別に駆動させるゲーム装置３、ゲーム装置３を操作して遊技を行なうための操作機能部１５、遊技結果に基づいて決定された図柄の組み合わせを可視窓７０から表示するゲーム表示パネル６９、パチンコ球の供給皿１８を設けてあるスロットマシン。」が記載されているものと認められ、上記ゲーム装置３は、「３は収納枠１内の棚板２上に着脱容易な形式で設置したゲーム装置であり、３個の回転ドラム４から成る。」（２頁左下欄１３〜１５行）の記載からみると、ユニット化されているものと認められる。
　
　刊行物２（特公昭６２ー２５３９１号公報、甲第２号証）には、
「電子制御回路と遊技盤に設けられた電動入賞装置等の電気部品とを電気配線して基盤と遊技盤とを一体化することにより、電動入賞装置と電子制御回路との配線作業の簡略化を図ると共に、遊技盤の交換時の誤配線の虞れを解消して遊技内容の変更にともなう新しい遊技盤の交換が遊技場において容易にできるパチンコ機を提供することを目的とするものである。」（３欄２２行〜２９行）、
「図において、１はパチンコ機の機枠、２は機枠１の前面一側に開閉自在に装着された前面枠で、その前面枠２の裏面には遊技盤３が窓孔４に臨むように着脱自在に設置される。５は前面枠２の裏側の一側部に上下の取着金具６、６を介して開閉可能に装着された機構板で、該機構板５を遊技盤３の裏側に閉止し締付金具７で、止着することにより遊技盤３を前面枠２に固定させる。遊技盤３は第３図に示すようにガイドレール８で囲まれた表面に障害釘や玉通路に入賞玉を検出するスイッチ９を臨ませた入賞チヤツカー１０等が設けられ、略中央部にはソレノイド等の電気的駆動機構１１を具備した電動入賞装置１２を設けている。また、遊技盤３の裏側には第４図に示すように一定間隔を保持させて入賞チヤツカー１０や電動入賞装置１２に入賞した玉を集合する入賞玉集合カバー１３を取付け、遊技盤３の裏面主要部たる中央部分全てを覆っている。その入賞玉集合カバー１３の外側表面に電子制御回路を組込んだ基盤１４を損傷しないようにボックス１５の内部に収めて固着している。そして、基盤１４からボックス１５の外に引き出された数本の導線１６は遊技盤３の裏面に敬付けたターミナル１７を介して入賞チヤツカー１０のスイッチ９や電動入賞装置１２の電気的駆動機構１１に接続してあり、また基盤１４からボックス１５の下方に引き出された別の導線１８の先端には電源に接続するカップラー１９　を備えさせている。このカップラー１９を電源に接続すると電子制御回路が閉成され電動入賞装置１２は該回路に基いて定められた動作を行うことができるものであり、このようにして遊技盤３を一体化して完成している。」（３欄３９行〜４欄２６行）、
「従って、遊技盤３を前面枠２の裏側に設置し、機構版５を遊技盤３の裏面に閉止して締付金具７によってクランプした後、カップラー１９を電源コードに接続することによって簡単に遊技盤３の交換を完了することができるものである。」（５欄１行〜６行）
「遊技盤３の交換を迅速かつ容易にできる方法を与えることになる。更に、… しかも遊技盤３の交換時に面倒かつ高度な配線作業を一切必要としないから、従来のように受注先に専門の技術者を派遣しないでもすむということになる等の多大な効果を有するものである。」（６欄１２行〜１８行）、と記載されている。
　
　刊行物３（特開昭６２ー１８３７７９号公報、甲第５号証）には、
「このため、遊技場で、或る一定期間の経過により、パチンコ遊技機３を新規なゲーム内容のものに交換する際には、遊技盤６を取り替えるとともに、該遊技盤６に設けられた電動ヤクモノを制御するための制御基板、言い換えれば制御基板が収納された基盤ボックス１を取り替える必要がある。」（２頁左上欄７行〜１２行）、
「さらに、パチンコ遊技機だけでなく、他の遊技機、たとえばスロットマシン等においても、回転ドラムの周面に描かれた模様の組合せが揃う確率を変更したり、回転ドラムの回転時間を調整したりする場合、多くは主たる制御回路の内容はそのままで、部分的に制御回路を取換えればよことが多い。この発明は、そのような場合に最適な制御基板を提供するものであり、上記従来技術および発明が解決しようとする問題点の説明におけるパチンコ機だけに限られるものではない。」（２頁右上欄１７行〜左下欄６行）、と記載されている。
　
エ．対比・判断
　本件発明と刊行物１に記載の発明を対比すると、刊行物１に記載の発明の「収納枠１」、「上部カバーおよび正面カバーを固定した主構成枠７」、「複数の回転ドラム４」、「ゲーム装置３」、「操作機能部１５」、「可視窓７０」および「ゲーム表示パネル６９」は、その機能からみて、本件発明の「枠体（５）」、「扉体（６）」、「複数の図柄移動装置（１１）」、「図柄回動ユニット」、「操作部（１７）」、「表示窓（１５）」および「図柄表示パネル（１６）」に相当し、刊行物１に記載の「パチンコ球の供給皿１８」は、「パチンコ球受け皿」でもあって、本件発明の「メダル受け皿（１９）」の「メダル」も刊行物１に記載の「パチンコ球」も遊技媒体である点で共通しているから、これらは、「遊技球受け皿」である。
　したがって、両者は、
「枠体に対して揺動開閉自在な扉体、複数の図柄移動装置を各別に駆動させる図柄回動ユニット、図柄回動ユニットを操作して遊技を行なうための操作部、遊技結果に基づいて決定された図柄の組み合わせを表示窓から表示する図柄表示パネル、遊技媒体受け皿を設けてあるスロットマシン」
である点で一致するが下記の点で相違する。
（１）本件発明では、図柄回動ユニットの制御部を備えているのに対し、刊行物１に記載の発明では、図柄回動ユニットの制御部を備えているか否か不明な点。
（２）本件発明では、遊技媒体受け皿がメダル受け皿であるのに対し、刊行物１に記載の発明では、パチンコ球受け皿である点。
（３）本件発明では、図柄回動ユニットと制御部及び図柄表示パネルとを、扉体に形成した開口部に対して扉体の前面側から一体的に装脱可能な装着ユニットに構成するとともに、前記図柄表示パネルの周縁部で開口部の前面側周縁を全周に亘って覆うように構成してあるのに対し、刊行物１に記載の発明では、図柄回動ユニット及び図柄表示パネル等は上記のように構成していない点。
 
　上記相違点について検討する。
（１）について、
　スロットマシンにおいて、複数の図柄移動装置を各別に駆動させるために図柄回動ユニットに制御部を設けなければならないことは自明なこと（特開昭５７ー２０２８６号公報、特開昭６４ー３７９８４号公報等を参照されたい）であるから、実質的の相違とはいえない。
（２）について、
　スロットマシンの遊技媒体としてメダルを用い、その受け皿を設けることは、特開昭５７ー２０２８６号公報、実願昭５９ー６５５３７号（実開昭６０ー１７７８８２号）のマイクロフィルム、実願昭６３ー１１６１２２号（実開平２ー３７６９０号）のマイクロフィルム等に記載のように周知であるから、遊技媒体としてメダルを用い、その際にパチンコ球受け皿をメダル受け皿とすることは当業者が容易になし得るというべきである。
（３）について、
　刊行物２には、遊技を司る核的構成部品である電動入賞装置、電子制御回路および遊技盤を一体化して装脱可能な装着ユニットに構成し、揺動開閉自在な枠体（前面枠）に装着することが記載されている。刊行物２は、パチンコ機に関するものであるが、スロットマシンもパチンコ機も遊技機として同様の技術分野（例えば、刊行物３にも「パチンコ遊技機だけでなく、他の遊技機、たとえばスロットマシン等においても、」と記載されている。）であって、本件発明の図柄回動ユニットと制御部及び図柄表示パネルも遊技を司る核的構成部品であるから、これらを一体的に装脱可能な装着ユニットに構成し、揺動開閉自在な枠体でもある扉体に装着することは当業者が容易に想到し得るというべきである。
　また、開口部を有する部材に対し、その開口部に装着する部材を、その前面部材の周縁部で前記開口部の前面側周縁を全周に亘って覆うようにして開口部に取り付けることは、刊行物１に記載の取込操作手段８８の操作機能部１５の開口１５Ｃへの取り付け（第３、５図の記載からみれば、取込操作手段８８の表構成部材である操作カバー８８４の周縁部で操作機能部１５の開口１５Ｃの前面側周縁を全面に亘って覆っているものと認められる。）、さらに、実願平１ー８１１６７号（実開平２ー８４９１号）のマイクロフィルムに記載の特定入賞装置６の遊技盤への取り付け（特定入賞装置６は、その基板１３に特定入賞検出器１２等を装着し、遊技盤の通孔２’内に特定入賞検出器１２を挿入し、遊技盤２の表面と基板１３の裏面を当接して（基板１３の周縁部で開口部（通孔）の前面側周縁を全周に亘って覆うように）取り付けている。）、特開平２ー２６５７９号公報に記載のスロットマシン型表示装置を備えた役物ユニット１６の遊技盤への取り付け（第１図の役物ユニット１６の配置、第２ａ、ｂ図の役物ユニット１６の構造および役物ユニット１６が遊技盤に対して着脱可能の記載からみれば、技術常識上、役物ユニット１６は、遊技盤の中央部開口に挿入し、役物ユニット１６の機枠１６ａの周縁部で、遊技盤の中央部開口の前面側周縁を全周に亘って覆うように取り付けているものと認められる。）等に記載のように周知であり、このような周知の取付手段を採用するにあたり、特段の創意工夫が見あたらないことからすると、前面部材である図柄表示パネルの周縁部で開口部（２６）の前面側周縁を全周に亘って覆うようにすることは当業者が適宜なし得る設計事項程度のことというべきである。
　そして、本件発明の効果も、スロットマシン特有のものとは認められないから、刊行物１〜３に記載の発明及び周知の技術から容易に予測し得るものであって、格別顕著なものとも認められない。
　
オ．むすび
　以上のとおりであるから、本件発明は、刊行物１〜３に記載の発明および周知技術に基づいて当業者が容易に発明をすることができたものであり、特許法第２９条第２項の規定により特許を受けることことができない。
　したがって、本件発明の特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１０月２７日（２００３．１０．２７）
【訂正の要旨】
審決（決定）の【理由】欄参照。
（５４）【発明の名称】
スロットマシン
（５７）【特許請求の範囲】
　【請求項１】　枠体（５）に対して揺動開閉自在な扉体（６）に、複数の図柄移動装置（１１）を各別に駆動させる図柄回動ユニット（１２）、図柄回動ユニット（１２）の制御部（１３）、図柄回動ユニット（１２）を操作して遊技を行なうための操作部（１７）、遊技結果に基づいて決定された図柄の組み合わせを表示窓（１５）から表示する図柄表示パネル（１６）、メダル受け皿（１９）を設けてあるスロットマシンにおいて、
　前記図柄回動ユニット（１２）と制御部（１３）及び図柄表示パネル（１６）とを、扉体（６）に形成した開口部（２６）に対して
扉体（６）の前面側から
【発明の詳細な説明】
　【０００１】
　【産業上の利用分野】
　本発明は、枠体に対して揺動開閉自在な扉体に、複数の図柄移動装置を各別に駆動させる図柄回動ユニット、図柄回動ユニットの制御部、図柄回動ユニットを操作して遊技を行なうための操作部、遊技結果に基づいて決定された図柄の組み合わせを表示窓から表示する図柄表示パネル、メダル受け皿を設けてあるスロットマシンに関する。
　【０００２】
　【従来の技術】
　従来のスロットマシンでは、扉体に、図柄回動ユニット、制御部、操作部、図柄表示パネル、装飾パネル、メダル受け皿を各別に組付けていた。
　【０００３】
　【発明が解決しようとする課題】
　上記従来技術によれば、既存のスロットマシンを遊技内容の異なるものに取替える場合、遊技島に並設されたスロットマシンを取外し、遊技内容の異なる図柄回動ユニット、制御部、図柄表示パネル等の総ての部品を装備した新たなスロットマシンに取り替えていたため、その取替工事が大掛かりになるばかりでなく、統べてを装備したスロットマシン全体を取替えるため、一台当たりのコストも高くなり、工事費が高騰するとともに、工事期間も長くなる問題がある。
　本発明は、操作部やメダル受け皿は遊技内容の変更の影響を受け難く、図柄回動ユニットと制御部及び図柄表示パネルが遊技を司る核的構成部品である点に着目して、この着目点に基づいた合理的な改造により、既存のスロットマシンを遊技内容の異なるものに取替える場合の工事を、外観意匠を損なうことなくコスト面及び期間面で有利に行なうことのできるスロットマシンを提供することを目的とする。
　【０００４】
　【課題を解決するための手段】
　上記目的を達成する為の本発明の特徴構成は、冒記した構成のスロットマシンにおいて、前記図柄回動ユニットと制御部及び図柄表示パネルとを、扉体に形成した開口部に対して
扉体の前面側から
　【０００５】
　【作用】
　メダル投入口と図柄回動ユニットの駆動を開始させる始動レバー及び停止ボタン等から構成される操作部やメダル受け皿は、遊技内容の影響を受け難いため、これらを扉体側に取付けて部品の共通化を図り、遊技を司る図柄回動ユニットと制御部及び図柄表示パネルとを一つの装着ユニットに構成して、扉体に形成した開口部に対して一体的に装脱可能に構成したことにより、既存のスロットマシンを遊技内容の異なるものと取り替える場合でも、前記装着ユニットを最低限取替えるだけで対応することができる。
　しかも、扉体の開口部に対して装脱される装着ユニットの図柄表示パネルを利用して、開口部の前面側周縁を全周に亘って覆うことができるから、専用の化粧部材を用いることなく体裁良く仕上げることができる。
　【０００６】
　【発明の効果】
　従って、既存のスロットマシンを遊技内容の異なるものと取り替える場合でも、扉体の開口部に対して最低限、新旧の装着ユニットを入れ替えるだけで済むから、従来に比較して工事規模が小さくなるとともに、一台当たりの改造コストも安くなり、しかも、開口部の前面側周縁を全周に亘って覆う専用の化粧部材を不要化できることとの相乗作用により、遊技内容の異なるものへの取替え工事を、外観意匠を損なうことなくコスト面及び期間面で有利に行なうことができる。
　【０００７】
　【実施例】
　図３は、遊技装置の一例としてのスロットマシン１とメダル貸機２とを並設するとともに、メダル貸機２に投入された紙幣を搬送する紙幣搬送装置４を背中合わせのスロットマシン１の背面間に配設して遊技島３を構成してある遊技設備を示し、前記スロットマシン１は、その遊技装置を、矩形の木製枠体５と前面扉体６とを備えたキャビネット７に組付けて構成され、扉体６が遊技島３前面側の通路に向けて縦軸芯回りで揺動開閉可能な状態で枠体５に枢支されているとともに、枠体５が遊技島３の棚板材８に固定されている。
　前記遊技装置は、図１，図２に示すように、投入メダルを貯留するとともに賞メダルを払い出すホッパーユニット９，電源ユニット１０，三つの図柄移動装置１１を各別に駆動させる図柄回動ユニット１２，図柄回動ユニット１２の制御部である制御用基板ケース１３等の通路側から隠れる状態で組付けられる内装部品と、入賞状態や遊技方法等を表示する入賞表示パネル１４，遊技結果に基づいて決定された図柄の組み合わせを表示窓１５から表示する図柄表示パネル１６，図柄回動ユニット１２を操作して遊技を行う為の操作部である操作ユニット１７，装飾パネル１８，メダル受け皿１９等の通路側に露出させる状態で組付けられる外装部品から構成され、ホッパーユニット９と電源ユニット１０等が枠体５側に組付けられ、入賞表示パネル１４と図柄回動ユニット１２，制御用基板ケース１３，図柄表示パネル１６，操作ユニット１７，装飾パネル１８，メダル受け皿１９等が扉体６側に組付けられている。
　前記操作ユニット１７は、メダルが投入されるメダル投入口２０と、図柄回動ユニット１２の駆動を開始させる始動レバー２１と、三つの図柄移動装置１１の駆動を各別に停止させる三つの停止ボタン２２とが設けられ、メダル投入口２０からメダルを投入して始動レバー２１を操作すると三つの図柄移動装置１１が駆動を開始して図柄が回動移動され、三つの停止ボタン２２を操作すると三つの図柄移動装置１１の駆動が各別に停止して決定された図柄の組み合わせが図柄表示パネル１６の表示窓１５に表示され、その図柄の組み合わせが所定の組み合わせになっているとホッパーユニット９が駆動されてメダル払出し口２３から賞メダルがメダル受け皿１９に払い出される。
　【０００８】
　前記図柄回動ユニット１２は制御用基板ケース１３と共に板金製の矩形枠体２４内に固定され、矩形枠体２４の正面視外郭寸法よりも一回り大きな正面視外郭寸法を有する図柄表示パネル１６を図柄回動ユニット１２の前面側を覆う状態で当該矩形枠体２４の開口端に固着して、図柄回動ユニット１２と制御用基板ケース１３と図柄表示パネル１６とを扉体６に対して一体的に装脱可能な装着ユニット２５が構成されている。
　前記装着ユニット２５は、その矩形枠体２４部分を扉体６の前面側から、当該扉体６に形成した矩形枠体２４の正面視外郭寸法よりも若干大きい矩形開口部２６に挿入して、図柄表示パネル１６の周縁部２７背面が扉体６前面に接当している状態で、扉体６背面に固着した板金製の棚状枠２８に載置し、ロック機構（図外）で抜け出し不能に固定して扉体６に装着されるもので、内装部品である図柄回動ユニット１２と制御用基板ケース１３とが通路側から隠れる状態で装着されているとともに、外装部品である図柄表示パネル１６が、その周縁部２７で開口部２６の前面側周縁を全周に亘って覆う状態で、扉体６外面側に装着され、操作ユニット１７からの信号ケーブルとホッパーユニット９からの信号ケーブルとがコネクター２９を介して制御用基板ケース１３に接続されている。
　尚、前記図柄移動装置１１は、無端帯状の図柄ベルト３０を上下一対のプーリー３１に巻掛けて、前後方向厚さが薄い薄型に構成されている。
　【０００９】
　〔その他の実施例〕
▲１▼　実施例において、図柄回動ユニットを構成している図柄移動装置は、図柄が周方向に並設されている円筒状ドラムを駆動回動させるものであっても良い。
　【００１０】
　尚、特許請求の範囲の項に図面との対照を便利にするために符号を記すが、該記入により本発明は添付図面の構成に限定されるものではない。
【図面の簡単な説明】
　【図１】
遊技島の要部断面図
　【図２】
遊技島の要部斜視図
　【図３】
遊技設備の概略平面図
　【符号の説明】
　５　　　枠体
　６　　　扉体
　１１　　図柄移動装置
　１２　　図柄回動ユニット
　１３　　制御部（制御用基板ケース）
　１５　　表示窓
　１６　　図柄表示パネル
　１７　　操作部（操作ユニット）
　１９　　メダル受け皿
　２５　　装着ユニット
　２６　　開口部
　２７　　周縁部